(57)【要約】【課題】キーボードを持たない現場端末でも容易に文字入力できるようにする。【解決手段】現場端末１Ｂにおいて、オペレータによる情報入力要求があった場合、その情報入力対象に関連して用いられる用語の用語リスト情報６４Ａに基づき、各用語を使用頻度の高い順から選択候補として表示し、いずれかの選択候補に対する選択操作で選択された用語を操作入力された文字情報として受け付ける。【選択図】  図４
2005275513.tif 000002
【特許請求の範囲】
【請求項１】
プロセスの運転業務を行うオペレータが捉えた当該プロセスの運転状況の変化を製造イベントとして管理するプロセス運転業務管理システムにおいて、
製造イベントの詳細を示す複数の製造ノート情報を記憶する業務データサーバと、
当該プロセスで用いる装置やフィールド機器などの情報入力対象に関する製造ノート情報を、ネットワークを介して前記業務データサーバへ登録する現場端末とを備え、
前記現場端末は、
各種情報を画面に表示する画面表示部と、
オペレータによる操作を検出する操作入力部と、
情報入力対象と関連して用いられる用語を用語リスト情報を記憶する記憶部と、
前記操作入力部から入力された前記情報入力対象に関する製造ノート情報の情報入力要求に応じて、製造ノート情報の入力画面を前記画面表示部で画面表示するとともに、前記記憶部の前記用語リスト情報に含まれる複数の用語を選択候補として使用頻度の高い順に前記画面表示部で画面表示する表示制御手段と、
前記操作入力部での操作により前記画面上で前記選択候補から選択された用語を前記製造ノート情報について操作入力された文字情報として受け付ける受付制御手段とを有することを特徴とするプロセス運転業務管理システム。
【請求項２】
請求項１に記載のプロセス運転業務管理システムにおいて、
前記業務データサーバは、情報入力対象ごとに、当該情報入力対象と関連して用いる用語をその使用頻度と関連付けて用語リスト情報として記憶し、
前記現場端末は、
前記情報入力要求に応じて、当該製造イベントと対応する情報入力対象の用語リスト情報を前記業務データサーバから取得して前記記憶部へ格納する用語リスト取得手段を有することを特徴とするプロセス運転業務管理システム。
【請求項３】
請求項２に記載のプロセス運転業務管理システムにおいて、
前記業務データサーバは、記憶している各製造ノート情報内のテキストデータを分析して各情報入力対象と関連して用いられている用語を抽出し、これら用語とその使用頻度に基づき前記用語リスト情報を生成する用語リスト生成手段を有することを特徴とするプロセス運転業務管理システム。
【請求項４】
装置に対して任意の情報入力対象に関連する文字情報を操作入力する際にその文字入力操作を支援する文字入力支援方法において、
当該装置の記憶部で前記情報入力対象と関連して用いられる用語からなる用語リスト情報を記憶するステップと、
当該装置の操作入力部から入力された前記情報入力対象に関する情報入力要求に応じて、前記情報入力対象の情報入力画面を当該装置の画面表示部で画面表示するステップと、
前記記憶部の用語リスト情報に含まれる複数の用語を選択候補として使用頻度の高い順に前記画面表示部で画面表示するステップと、
前記操作入力部での操作により前記画面上で前記選択候補から選択された用語を前記情報入力対象について操作入力された文字情報として受け付けるステップとを備えることを特徴とする文字入力支援方法。
【請求項５】
コンピュータで任意の情報入力対象に関連する文字情報を操作入力する際にその文字入力操作を支援させるためのプログラムであって、
当該コンピュータに、
当該装置の操作入力部から入力された前記情報入力対象に関する情報入力要求に応じて、前記情報入力対象の情報入力画面を当該装置の画面表示部で画面表示するステップと、
当該装置の記憶部で前記情報入力対象に対応する用語リスト情報として記憶されている、前記情報入力対象と関連して用いられる複数の用語を、選択候補として使用頻度の高い順に前記画面表示部で画面表示するステップと、
前記操作入力部での操作により前記画面上で前記選択候補から選択された用語を前記情報入力対象について操作入力された文字情報として受け付けるステップとを実行させるプログラム。
【発明の詳細な説明】
【技術分野】
【０００１】
本発明は、各種プラントの運転業務を管理する技術に関するものである。
【背景技術】
【０００２】
製造プラントなどの各種産業用プラントでは、各プロセスについて、その温度、流量、圧力、濃度などのプロセス値を制御するプロセス制御システムを用いて、当該プロセスの運転状態を自動制御するものとなっている。
このようなプロセス制御システムでは、各種プロセス値をフィールド機器で制御するたけでなく、そのプロセス値をフィールド機器で計測して常時監視し、予め設定されている正常範囲を逸脱した場合は、外部装置へアラームやメッセージを通知するものとなっている。
【０００３】
一方、オペレータがこのようなプロセス制御システムを介してプロセスの運転業務を円滑に実施するため、プロセス制御システムを監視するプロセス監視システムが用いられる。
この種のプロセス監視システムでは、例えば、プロセス制御システムにおいて発生するアラームやメッセージなどの各種通知イベントに関する通知イベント情報や、プロセス制御システムで得られるプロセス値の推移を示すトレンドデータ（時系列データ）などのプロセスデータを、プロセス制御システムから自動的に収集し、表示画面上に表示してオペレータに通知するようにしている。
【０００４】
このようなプロセス制御システムでは、ある工程の装置に設けられたフィールド機器に関連してアラームやメッセージなどの通知イベントが発生した場合、オペレータは、その通知イベントが発生した原因を調べて適切かつ迅速に対応する必要がある。したがって、運転業務を交代制で行う場合、このような運転状態や運転操作の内容を次のオペレータへ引き継ぐことが重要となる。
従来、プロセスの運転業務を交代する際に各種引継事象を正確かつ視覚的に引き継ぐことを目的として、オペレータの入力操作により引継事象を電子情報として登録するとともに、引継事象が発生した際の表示画面を関連画面として引継事象に関連付けて登録しておき、次のオペレータがその引継事象の内容をその関連画面とともに確認するようにしたものが提案されている（例えば、特許文献１など参照）。
【０００５】
なお、出願人は、本明細書に記載した先行技術文献情報で特定される先行技術文献以外には、本発明に関連する先行技術文献を出願時までに発見するには至らなかった。
【特許文献１】特許第３４３７７０５号公報
【発明の開示】
【発明が解決しようとする課題】
【０００６】
プロセスの運転業務を交代する際に引き継ぐ情報としては、プロセス制御システムからの通知イベントのほか、プロセス制御システムで通知イベントとして取り上げられない、オペレータが捉えた当該プロセスの運転状況の変化を示すイベント、すなわち製造イベントがある。この製造イベントには、特定の工程の装置またはそのフィールド機器に関連して、例えばプロセス値が適正範囲内ではあるが通常の指示値と少し異なるため監視を継続してほしいなどのオペレータの経験による判断や、オペレータが現場で出向いて気付いた装置の異音やわずかな溶剤漏れなどの現場状況、さらにはオペレータが現場で行った運転操作などがある。
【０００７】
プロセスの運転業務では、プロセス制御システムの動作状況を現場で確認するため、ネットワークを介して接続された携帯型ＰＤＡ（Personal Digital Assistant）などの現場端末で、特定のフィールド機器に関する運転状況を確認する場合もあり、上記製造イベントについても、現場端末で入力することも考えられる。
しかしながら、従来技術では、製造イベントの内容を示す文字入力は、オペレータによるキーボード操作を前提としており、携帯型ＰＤＡなどキーボードを備えていない現場端末では文字入力の操作負担が大きいという問題点があった。
本発明はこのような課題を解決するためのものであり、キーボードを持たない現場端末でも容易に文字入力できるプロセス運転業務管理システム、文字入力支援方法、およびプログラムを提供することを目的としている。
【課題を解決するための手段】
【０００８】
このような目的を達成するために、本発明にかかるプロセス運転業務管理システムは、プロセスの運転業務を行うオペレータが捉えた当該プロセスの運転状況の変化を製造イベントとして管理するプロセス運転業務管理システムにおいて、製造イベントの詳細を示す複数の製造ノート情報を記憶する業務データサーバと、当該プロセスで用いる装置やフィールド機器などの情報入力対象に関する製造ノート情報を、ネットワークを介して業務データサーバへ登録する現場端末とを備え、現場端末に、各種情報を画面に表示する画面表示部と、オペレータによる操作を検出する操作入力部と、情報入力対象と関連して用いられる用語を用語リスト情報を記憶する記憶部と、操作入力部から入力された情報入力対象に関する製造ノート情報の情報入力要求に応じて、製造ノート情報の入力画面を画面表示部で画面表示するとともに、記憶部の用語リスト情報に含まれる複数の用語を選択候補として使用頻度の高い順に画面表示部で画面表示する表示制御手段と、操作入力部での操作により画面上で選択候補から選択された用語を製造ノート情報について操作入力された文字情報として受け付ける受付制御手段とを設けたものである。
【０００９】
この際、用語リスト情報については、業務データサーバで、情報入力対象ごとに、当該情報入力対象と関連して用いる用語をその使用頻度と関連付けて用語リスト情報として記憶するものとし、現場端末に、情報入力要求に応じて、当該製造イベントと対応する情報入力対象の用語リスト情報を業務データサーバから取得して記憶部へ格納する用語リスト取得手段を設けてもよい。
【００１０】
さらに、業務データサーバに、記憶している各製造ノート情報内のテキストデータを分析して各情報入力対象と関連して用いられている用語を抽出し、これら用語とその使用頻度に基づき用語リスト情報を生成する用語リスト生成手段を設けてもよい。
【００１１】
また、本発明にかかる文字入力支援方法は、装置に対して任意の情報入力対象に関連する文字情報を操作入力する際にその文字入力操作を支援する文字入力支援方法において、当該装置の記憶部で情報入力対象と関連して用いられる用語からなる用語リスト情報を記憶するステップと、当該装置の操作入力部から入力された情報入力対象に関する情報入力要求に応じて、情報入力対象の情報入力画面を当該装置の画面表示部で画面表示するステップと、記憶部の用語リスト情報に含まれる複数の用語を選択候補として使用頻度の高い順に画面表示部で画面表示するステップと、操作入力部での操作により画面上で選択候補から選択された用語を情報入力対象について操作入力された文字情報として受け付けるステップとを備えるものである。
【００１２】
また、本発明にかかるプログラムは、コンピュータで任意の情報入力対象に関連する文字情報を操作入力する際にその文字入力操作を支援させるためのプログラムであって、当該コンピュータに、当該装置の操作入力部から入力された情報入力対象に関する情報入力要求に応じて、情報入力対象の情報入力画面を当該装置の画面表示部で画面表示するステップと、当該装置の記憶部で情報入力対象に対応する用語リスト情報として記憶されている、情報入力対象と関連して用いられる複数の用語を、選択候補として使用頻度の高い順に画面表示部で画面表示するステップと、操作入力部での操作により画面上で選択候補から選択された用語を情報入力対象について操作入力された文字情報として受け付けるステップとを実行させるようにしたものである。
【発明の効果】
【００１３】
本発明によれば、キーボードを持たない現場端末でも容易に文字情報を操作入力できる。また、情報入力対象に対応した用語リスト情報を用いるようにしたので、個々の装置やフィールド機器に特有の用語を少ない選択候補から効率よく入力できる。
したがって、ネットワークを介して接続された携帯型ＰＤＡなどの現場端末で、プロセス制御システム内にある所望の装置やフィールド機器に関する運転状況を確認するだけでなく、現場でオペレータが捉えた製造イベントに関する情報を現場端末から極めて簡素な操作で入力することができ、プロセス運転業務の効率化を実現できる。
【発明を実施するための最良の形態】
【００１４】
次に、本発明の実施の形態について図面を参照して説明する。
［プロセス運転業務管理システムの構成］
まず、図１を参照して、本発明の一実施の形態にかかるプロセス運転業務管理システムについて説明する。図１は本発明の一実施の形態にかかるプロセス運転業務管理システムの構成を示すブロック図である。
【００１５】
このプロセス運転業務管理システム１０は、プロセスの運転業務を行うオペレータが捉えた当該プロセスの運転状況の変化を製造イベントとして管理するシステムである。
本実施の形態は、このプロセス運転業務管理システムにおいて、製造イベントの詳細を示す製造ノートを現場端末で入力する際、情報入力対象となる製造イベントに関連して用いられる用語の用語リストに基づき、その用語リストの用語を選択候補として使用頻度の高い順に現場端末で画面表示し、その画面上で選択された用語を操作入力された文字情報として受け付けることにより文字入力を支援するようにしたものである。
【００１６】
このプロセス運転業務管理システム１０には、業務管理装置１、業務データサーバ２、無線基地局１Ａ、および現場端末１Ｂが設けられており、これら業務管理装置１、業務データサーバ２、および無線基地局１Ａは、ネットワーク２０を介して接続されている。また、現場端末１Ｂは無線基地局１Ａと無線回線を介して接続されている。
業務管理装置１および現場端末１Ｂは、オペレータの操作を受け付けて各種製造ノート情報を業務データサーバ２へ登録し、所望の製造ノート情報を業務データサーバ２から取得して画面表示する端末装置である。業務データサーバ２は、業務管理装置１から登録された製造ノート情報や文字入力支援のための用語リストを格納するサーバ装置である。
【００１７】
プロセス制御システム５０は、製造プラントなどの各種産業用プラント内で運転される個々のプロセスについて、その温度、流量、圧力、濃度などプロセス値に基づき自動制御するシステムである。このプロセス制御システム５０には、プロセスの各工程を構成する装置のプロセス値を制御しあるいは装置から制御に必要なプロセス値を計測するフィールド機器５２と、ネットワーク５３を介してこれらフィールド機器５２を遠隔制御するコントローラ５１とが設けられている。
【００１８】
プロセス監視システム３０は、プロセス制御システム５０の運転状況を監視するシステムであり、ネットワーク４０を介して相互に接続されたプロセス監視装置３とプロセスデータサーバ４とが設けられている。プロセス監視装置３は、プロセスデータサーバ４に格納されている通知イベント情報やトレンドデータなどのプロセスデータに基づきプロセス制御システム５０の状態を監視する端末装置である。プロセスデータサーバ４は、ネットワーク４０を介してコントローラ５１と接続されており、コントローラ５１から所望のプロセスデータを収集して記憶するサーバ装置である。またプロセスデータサーバ４は、ネットワーク２０に接続されており、プロセス制御管理システム１０へ各種プロセスデータを配信する。
【００１９】
［業務管理装置の構成］
次に、図２を参照して、業務管理装置１の構成について説明する。図２は業務管理装置１の構成を示すブロック図である。
この業務管理装置１は、全体としてコンピュータを有する通信端末装置からなり、画面表示部１１、操作入力部１２、通信インターフェース部（以下、通信Ｉ／Ｆ部という）１３、記憶部１４、および制御部１５が設けられている。
【００２０】
画面表示部１１は、ＬＣＤやＣＲＴなどの画面表示装置からなり、プロセスの運転業務に用いる製造ノート情報、さらにはこれに関連する通知イベントやトレンドデータなど、各種情報を画面表示する。操作入力部１２は、キーボードやマウスなどの操作入力装置からなり、オペレータの操作を検出する。通信Ｉ／Ｆ部１３は、ＬＡＮなどからなるネットワーク２０を介して業務データサーバ２やプロセスデータサーバ４とデータ通信を行う回路部である。記憶部１４は、ハードディスクやメモリなどの記憶装置からなり、制御部１５で実行されるプログラム１４Ａのほか、制御部１５での処理に用いる各種データを記憶する。なお、プログラム１４Ａについては、ＣＤ−ＲＯＭなどの記録媒体やネットワーク２０を介して他の装置から記憶部１４へ予め取り込まれる。
【００２１】
制御部１５は、ＣＰＵなどのマイクロプロセッサとその周辺回路を有し、記憶部１４のプログラム１４Ａを読み込んで実行することにより、これらハードウェアとプログラム１４Ａとを協働させて各種機能手段を実現する回路部である。
主な機能手段としては、受付制御手段１５Ａと表示制御手段１５Ｂが設けられている。受付制御手段１５Ａは、オペレータにより操作入力部１２から入力された製造ノート情報を受け付け、これら情報を通信Ｉ／Ｆ部１３およびネットワーク２０を介して業務データサーバ２へ格納する。表示制御手段１５Ｂは、オペレータにより操作入力部１２から指定された製造ノート情報や通知イベント情報を、通信Ｉ／Ｆ部１３およびネットワーク２０を介して業務データサーバ２やプロセスデータサーバ４から取得し、画面表示部２１へ画面表示する。
【００２２】
［業務データサーバの構成］
次に、図３を参照して、業務データサーバ２の構成について説明する。図３は業務データサーバ２の構成を示すブロック図である。
この業務データサーバ２は、全体としてコンピュータを有するネットワークサーバ装置からなり、画面表示部２１、操作入力部２２、通信インターフェース部（以下、通信Ｉ／Ｆ部という）２３、記憶部２４、および制御部２５が設けられている。
【００２３】
画面表示部２１は、ＬＣＤやＣＲＴなどの画面表示装置からなり、各種情報を画面表示する。操作入力部２２は、キーボードやマウスなどの操作入力装置からなり、オペレータの操作を検出する。通信Ｉ／Ｆ部２３は、ネットワーク２０を介して業務管理装置１やプロセスデータサーバ４とデータ通信を行う回路部である。記憶部２４は、ハードディスクやメモリなどの記憶装置からなり、業務管理装置１や現場端末１Ｂから格納された製造ノート情報２４Ａ、文字入力支援のための用語リスト情報２４Ｂ、および制御部２５で実行されるプログラム２４Ｃ、さらには制御部２５での処理に用いる各種データを記憶する。なお、プログラム２４Ｂについては、ＣＤ−ＲＯＭなどの記録媒体やネットワーク２０を介して他の装置から記憶部２４へ予め取り込まれる。
【００２４】
制御部２５は、ＣＰＵなどのマイクロプロセッサとその周辺回路を有し、記憶部２４のプログラム２４Ｃを読み込んで実行することにより、これらハードウェアとプログラム２４Ｃとを協働させて各種機能手段を実現する回路部である。
主な機能手段としては、管理制御手段２５Ａおよび用語リスト管理手段２５Ｂが設けられている。管理制御手段２５Ａは、ネットワーク２０および通信Ｉ／Ｆ部２３を介して受信した業務管理装置１や現場端末１Ｂからの格納要求に応じて、所望の製造ノート情報２４Ａを記憶部２４へ格納し、同じく受信した業務管理装置１や現場端末１Ｂからの検索要求に応じて、所望の製造ノート情報２４Ａを記憶部２４から取得し、これら情報を検索結果として業務管理装置１や現場端末１Ｂへ返送する。
【００２５】
用語リスト管理手段２５Ｂは、記憶部２４に格納されている製造ノート情報２４Ａ内のテキストデータから、プロセスを構成する装置やフィールド機器などの情報入力対象ごとに、その対象と関連して用いられる用語を抽出し、用語リスト情報２４Ｂとして記憶部２４へ格納する。
また、用語リスト管理手段２５Ｂは、現場端末１Ｂによる製造ノート情報の入力要求に応じて、当該製造ノート情報の製造イベントに対応する情報入力対象の用語リスト情報２４Ｂを記憶部２４から取得して現場端末１Ｂへ通知する。
【００２６】
［現場端末の構成］
次に、図４を参照して、現場端末１Ｂの構成について説明する。図４は現場端末１Ｂの構成を示すブロック図である。
この現場端末１Ｂは、全体としてコンピュータを有する携帯型の通信端末装置からなり、画面表示部６１、操作入力部６２、通信インターフェース部（以下、通信Ｉ／Ｆ部という）６３、記憶部６４、および制御部６５が設けられている。
【００２７】
画面表示部６１は、ＬＣＤなどの画面表示装置からなり、プロセスの運転業務に用いる製造ノート情報、さらにはこれに関連する通知イベントやトレンドデータなど、各種情報を画面表示する。操作入力部６２は、カーソルキーやタッチパネルなどの操作入力装置からなり、オペレータの操作を検出する。通信Ｉ／Ｆ部６３は、無線回線および無線基地局１Ａを介して業務データサーバ２やプロセスデータサーバ４とデータ通信を行う回路部である。記憶部６４は、ハードディスクやメモリなどの記憶装置からなり、用語リスト情報６４Ａや制御部６５で実行されるプログラム６４Ｂのほか、制御部６５での処理に用いる各種データを記憶する。なお、プログラム６４Ｂについては、メモリカードなどの記録媒体や無線基地局１Ａおよびネットワーク２０を介して他の装置から記憶部６４へ予め取り込まれる。
【００２８】
制御部６５は、ＣＰＵなどのマイクロプロセッサとその周辺回路を有し、記憶部６４のプログラム６４Ｂを読み込んで実行することにより、これらハードウェアとプログラム６４Ｂとを協働させて各種機能手段を実現する回路部である。
主な機能手段としては、用語リスト取得手段６５Ａ、表示制御手段６５Ｂ、および受付制御手段６５Ｃが設けられている。用語リスト取得手段６５Ａは、オペレータにより操作入力部６２から入力された製造ノート情報の入力要求に応じて、当該製造イベントの情報入力対象に対応する用語リスト情報６４Ａを業務データサーバ２から取得して記憶部６４に格納する。
【００２９】
表示制御手段６５Ｂは、上記入力要求に応じて所定の入力画面を画面表示部６１で表示するとともに、用語リスト取得手段６５Ａで取得した記憶部６４の用語リスト情報６４Ａに含まれる用語を使用頻度の高い順にその入力画面上で表示する。
また表示制御手段６５Ｂは、オペレータにより操作入力部６２から指定された製造ノート情報、通知イベント情報、さらにはトレンドデータなどの情報を、通信Ｉ／Ｆ部６３業務データサーバ２やプロセスデータサーバ４から取得し、画面表示部６１へ画面表示する。
【００３０】
受付制御手段６５Ｃは、オペレータにより操作入力部６２から入力された製造ノート情報を受け付け、これら情報を通信Ｉ／Ｆ部６３、無線基地局１Ａ、およびネットワーク２０を介して業務データサーバ２へ格納する。この際、入力画面に表示された用語に対する操作入力部６２からの用語選択操作に応じて、その用語を製造ノート情報に対する文字入力として取得する。
なお、無線基地局１Ａは、ネットワーク２０と現場端末１Ｂとの間のデータ通信を中継する汎用の無線ルータ装置であり、ここでの詳細な説明は省略する。
【００３１】
［製造ノート情報の構成］
次に、図５を参照して、製造ノート情報２４Ａの構成について説明する。図５は製造ノート情報の構成例である。
業務データサーバ２では、業務管理装置１や現場端末１Ｂからの登録要求に応じて、図５に示すような製造ノート情報を格納している。本発明でいう製造イベントとは、プロセス制御システムで通知イベントとして取り上げられない、オペレータが捉えた当該プロセスの運転状況の変化を示すイベントのことである。この製造イベントには、特定の工程の装置またはそのフィールド機器に関連して、例えばプロセス値が適正範囲内ではあるが通常の指示値と少し異なるため監視を継続してほしいなどのオペレータの経験による判断や、オペレータが現場で出向いて気付いた装置の異音やわずかな溶剤漏れなどの現場状況、さらにはオペレータが現場で行った運転操作などの情報がある。
【００３２】
このような製造ノート情報は、同一製造イベントについて引き継いだオペレータにより順次追加登録されることになる。プロセス運転業務管理システム１０では、このような製造ノート情報を所定のキー情報で各製造イベントごとに分類して業務データサーバ２に格納し、業務管理装置１において、オペレータから指定された製造イベントのキー情報に基づき、同一製造イベントに関連する製造ノート情報を時系列で一覧表示している。また、キー情報として、プロセス内の工程を識別するための工程情報、その工程を構成する装置を識別するための装置情報、および装置に設けられたフィールド機器を識別するための機器情報を組み合わせて用いている。
以下では、このような同一製造イベントに関連して各オペレータにより追加登録される個々の情報を製造ノート情報といい、同一のキー情報を持つ複数の製造ノート情報から１つの製造イベントが構成されるものとする。
【００３３】
図５に示すように、各製造ノート情報を構成する項目については、当該製造ノート情報をいずれかの製造イベントに分類するために用いる上記キー情報のほか、「記入日時」、「記入者」、「アクション依頼者」、「対応日時」、「内容」、「承認」、「承認日時」、「添付ファイル」、「クエリ」、「リンク情報」、「引継」などの項目がある。
【００３４】
このうち、「アクション依頼者」は当該製造ノート情報が示すアクション内容の依頼先を指定する情報である。「対応日時」は、依頼されたアクションへの対応時期を示す情報である。「内容」は引き継ぎたい具体的事項を示すテキストデータ（フリー入力文）からなる情報である。「承認」は当該製造ノート情報が属する製造イベントに対する管理者の承認レベルを示す情報である。「承認日時」は当該製造イベントの完了を承認した日時を示す情報である。「添付ファイル」は当該製造ノート情報に関連して表示する図形ファイルを示す情報である。
【００３５】
また、「クエリ」は当該製造ノート情報に関連して表示するトレンドデータを指定するクエリ情報を示す情報である。「リンク情報」は当該製造ノート情報を他の製造イベントへ関連付けして表示する際のリンク先を示す情報である。「引継」は引き継いだオペレータが当該製造ノート情報の内容を確認済かどうかを示す情報である。
なお、製造ノート情報の各項目については、上記各項目に限定されるものではなく、プロセス運転業務管理システム１０で提供する機能に応じて、例えばプロセス運転業務における当該製造ノートの重要性を示す「重要度」という項目や、当該製造ノートが示す製造イベントへのオペレータの対応状況を示す「ステータス」という項目など、任意の項目を増減してもよい。
【００３６】
次に、本実施の形態の動作について、図面を参照して説明する。
［用語リスト生成動作］
まず、図６を参照して、業務データサーバ２の用語リスト管理手段２５Ｂによる用語リスト生成動作について説明する。図６は用語リスト管理手段２５Ｂによる用語リスト生成処理を示すフローチャートである。
業務データサーバ２の制御部２５は、操作入力部２２や業務管理装置１からの指示あるいは自律的に、図６に示した、用語リスト管理手段２５Ｂによる用語リスト生成処理を実行する。
【００３７】
まず、用語リスト管理手段２５Ｂは、記憶部２４に記憶されている製造ノート情報２４Ａの項目「内容」からテキストデータを抽出し（ステップ１００）、そのテキストデータを例えば公知の形態素分析方法などを用いて単語（品詞）に分割する（ステップ１０１）。例えば「ボイラ配管から異音がして漏れあり」というテキストデータが抽出された場合は、「ボイラ配管」「から」「異音」「が」「して」「漏れ」「あり」という単語に分割される。
続いて、これら単語列を例えば公知のシソーラスを用いて同義語に変換する（ステップ１０２）。これにより、「異音がして」や「漏れあり」はそれぞれ「異音がする」や「漏れがある」に変換される。
【００３８】
次に、変換された単語列について公知の文法パターン分析方法などを用いて構文解析し、単語間の係り受け関係を抽出する（ステップ１０３）。これにより、入力対象となる「ボイラ配管」（主語）に対し、用語として「異音がする」や「漏れがある」（述語）が関係付けられる。
そして、これら係り受け関係をそれぞれの情報入力対象ごとに分類して（ステップ１０４）、各情報入力対象ごとに対となる用語を使用頻度に基づきリスト化する（ステップ１０５）。これにより、例えば入力対象「ボイラ配管」について用語リスト「漏れがある，ショーという音がする，異音がする，変形している，…」という用語リストが使用頻度順に生成される。このようにして生成された用語リストが、記憶部２４へ用語リスト情報２４Ｂとして格納され（ステップ１０６）、一連の用語リスト生成処理を終了する。
【００３９】
［文字入力支援動作］
次に、図７および図８を参照して、現場端末１Ｂでの文字入力支援動作について説明する。図７は現場端末１Ｂでの文字入力支援処理を含む製造ノート情報の登録処理を示すシーケンス図である。図８製造ノート情報の入力画面例である。
現場端末１Ｂの制御部６５は、オペレータによる操作入力部６２からの製造ノート情報の情報入力要求操作に応じて（ステップ１１０）、文字入力支援処理を含む製造ノート情報登録処理を開始する。この際、情報入力対象となる装置やフィールド機器は、現場端末１Ｂの画面表示部６１へ表示した所定のメニューを用いてオペレータにより選択される。
【００４０】
まず、用語リスト取得手段６５Ａは、要求された製造ノート情報の情報入力対象を示すキー情報を含む入力要求を、通信Ｉ／Ｆ部６３、無線回線、無線基地局１Ａ、およびネットワーク２０を介して、業務データサーバ２へ送信する（ステップ１１１）。
業務データサーバ２の制御部２５は、通信Ｉ／Ｆ部２３を介して現場端末１Ｂからの入力要求を受信し、用語リスト管理手段２５Ｂで、その入力要求に含まれるキー情報に対応する情報入力対象の用語リスト情報２４Ｂを記憶部２４から取得し（ステップ１１２）、現場端末１Ｂへ返送する（ステップ１１３）。
現場端末１Ｂの用語リスト取得手段６５Ａは、業務データサーバ２からの用語リスト情報を受信し、記憶部６４へ用語リスト情報６４Ａとして記憶する（ステップ１１４）。
【００４１】
また、現場端末１Ｂの表示制御手段６５Ｂは、上記情報入力要求に応じて、図８に示すような所定の入力画面を画面表示部６１で表示する（ステップ１１５）。
図８には、プロセス制御システム５０に設けられている制御ポイントを情報入力対象とする製造ノート情報の入力画面例が示されており、「装置名」や「ポイント名」の欄に情報入力対象を特定するキー情報８１が表示されているほか、この制御ポイントに関する情報が表示されている。また、製造ノート情報の項目「内容」に相当する「コメント」欄には、文字入力支援のための操作シンボルとしてリストボックス８２が表示されている。
【００４２】
続いて、表示制御手段６５Ｂは、オペレータによる操作入力部６２からの文字入力支援要求操作、例えばリストボックス８２に対する選択操作に応じて（ステップ１２０）、当該情報入力対象、例えば「ボイラ配管」に対応する用語リスト情報６４Ａの用語、例えば「漏れがある，ショーという音がする，異音がする，変形している，…」という用語を、を選択候補として使用頻度の高い順で選択候補リスト欄８３に表示する（ステップ１２１）。
次に、現場端末１Ｂの受付制御手段６５Ｃは、オペレータによる操作入力部６２からの用語選択操作、例えば選択候補リスト欄８３に表示されたいずれかの用語に対する選択操作に応じて（ステップ１２２）、選択された用語を当該情報入力対象について操作入力された文字情報として受け付け（ステップ１２３）、オペレータから入力された製造ノート情報として記憶部６４へ格納し（ステップ１２４）、一連の入力支援処理を終了する。
【００４３】
そして、受付制御手段６５Ｃは、オペレータによる操作入力部６２からの所定の入力完了操作に応じて（ステップ１３０）、記憶部６４に格納されている製造ノート情報を含む登録要求を、通信Ｉ／Ｆ部６３、無線回線、無線基地局１Ａ、およびネットワーク２０を介して、業務データサーバ２へ送信する（ステップ１３１）。
業務データサーバ２の制御部２５は、通信Ｉ／Ｆ部２３を介して現場端末１Ｂからの登録要求を受信し、管理制御手段２５Ａで、その登録要求に含まれる製造ノート情報を記憶部２４の製造ノート情報２４Ａへ追加登録し（ステップ１３２）、一連の製造ノート情報登録処理を終了する。
【００４４】
このように、本実施の形態では、現場端末において、オペレータによる情報入力要求があった場合、その情報入力対象に関連して用いられる用語の用語リスト情報に基づき、各用語を選択候補として使用頻度の高い順から表示し、いずれかの選択候補に対する選択操作で選択された用語を操作入力された文字情報として受け付けるようにしたので、キーボードを持たない現場端末でも容易に文字情報を操作入力できる。また、情報入力対象に対応した用語リスト情報を用いるようにしたので、個々の装置やフィールド機器に特有の用語を少ない選択候補から効率よく入力できる。
したがって、ネットワークを介して接続された携帯型ＰＤＡなどの現場端末で、プロセス制御システム内にある所望の装置やフィールド機器に関する運転状況を確認するだけでなく、現場でオペレータが捉えた製造イベントに関する情報を現場端末から極めて簡素な操作で入力することができ、プロセス運転業務の効率化を実現できる。
【００４５】
また、業務データサーバにおいて、プロセスで用いる装置やフィールド機器などの情報入力対象ごとに、当該情報入力対象と関連して用いる用語をその使用頻度と関連付けて用語リスト情報として記憶しておき、現場端末において、オペレータによる情報入力要求に応じて、当該情報入力対象の用語リスト情報を業務データサーバから取得するようにしたので、複数の現場端末で業務データサーバの用語リスト情報を共用できるとともに、現場端末で各情報入力対象ごとに用語リスト情報を記憶しておく必要がなくなり、システム全体としてハードウェア資源および情報を効率よく利用できる。
【００４６】
また、業務データサーバにおいて、記憶している各製造ノート情報内のテキストデータを分析して各情報入力対象と関連して用いられている用語を抽出し、これら用語とその使用頻度に基づき用語リスト情報を生成するようにしたので、各情報入力対象で過去に実際に利用された、個々の装置やフィールド機器に特有の用語を効率よく収集して用語リスト情報に反映できる。
【００４７】
なお、以上では、業務データサーバで用語リスト情報を生成する場合を例として説明したが、例えば現場端末で、業務データサーバから必要な製造ノート情報を読み出して分析することにより用語リスト情報を生成するようにしてもよい。
また、用語リスト情報を用いた現場端末での選択候補の表示方法については、用語リスト情報として各用語をその使用頻度の高い順に記憶しておき、現場端末で用語リスト情報の用語をその順序でいくつか表示するようにしてもよい。あるいは、用語リスト情報で各用語ごとにその使用頻度を記憶しておき、現場端末でその使用頻度の高い用語から順にいくつか表示するようにしてもよい。
【００４８】
また、プロセス運転業務管理システム１０として、現場端末１Ｂが無線基地局１Ａを介してネットワーク２０と接続される場合を例として説明したが、これに限定されるものではない。例えば、現場端末１Ｂがネットワーク２０と直接接続されるシステム構成、あるいは他の通信媒体を介してネットワーク２０と接続されるシステム構成であっても、前述と同様に本実施の形態を適用でき、同様の作用効果が得られる。なお、現場端末１Ｂについては、携帯型ＰＤＡに限定されるものではなく、図４で述べた構成を有している情報処理端末、例えばパーソナルコンピュータや携帯電話端末を用いても、前述と同様に本実施の形態を適用でき、同様の作用効果が得られる。
さらに、プロセス運転業務管理システム１０の構成として、業務管理装置１と業務データサーバ２とを１つの装置で実現してもよく、さらにプロセス運転業務管理システム１０とプロセス監視システム３０とを１つのシステムに統合してもよい。
【００４９】
また、以上では、現場端末１Ｂが業務データサーバ２から用語リスト情報のみを取得する場合を例として説明したが、入力画面とともに用語リスト情報を取得するようにしてもよい。
例えば、業務データサーバ２の制御部２５に各種Ｗｅｂページを提供するＷｅｂサーバ機能を設け、現場端末１Ｂからのアクセスすなわち上記入力要求に応じて、製造ノート情報の入力画面と所望の用語リスト情報を配信する。
【００５０】
そして、現場端末１Ｂの制御部６５に設けたＷｅｂブラウザ機能（用語リスト取得手段６５Ａ、表示制御手段６５Ｂ、受付制御手段６５Ｃ）で、業務データサーバ２から取得した入力画面と用語リスト情報を記憶部６４へ記憶し、その入力画面を画面表示部６１で表示するとともに、その用語リスト情報に基づき前述したリストボックス８２および選択候補リスト欄８３を用いて文字入力支援をするようにしてもよい。
【００５１】
この際、入力画面や用語リスト情報は、ＨＴＭＬ形式のプログラムとして業務データサーバ２から現場端末１Ｂへ配信されて記憶部６４へ格納され、制御部６５のＷｅｂブラウザ機能でこのプログラムが実行されて前述した文字入力支援処理および製造ノート情報登録処理が行われることになる。
これにより、複数の現場端末で業務データサーバの入力画面や用語リスト情報を共用できるとともに、現場端末で入力画面や各情報入力対象ごとに用語リスト情報を記憶しておく必要がなくなり、システム全体としてハードウェア資源および情報を効率よく利用できる。
【図面の簡単な説明】
【００５２】
【図１】本発明の一実施の形態にかかるプロセス運転業務管理システムの構成を示すブロック図である。
【図２】図１の業務管理装置の構成例である。
【図３】図１の業務データサーバの構成例である。
【図４】図１の現場端末の構成例である。
【図５】製造ノート情報の構成例である。
【図６】用語リスト生成処理を示すフローチャートである。
【図７】文字入力支援処理を含む製造ノート情報登録処理を示すシーケンス図である。
【図８】製造ノート情報の入力画面例である。
【符号の説明】
【００５３】
１０…プロセス運転業務管理システム、１…業務管理装置、１１…画面表示部、１２…操作入力部、１３…通信Ｉ／Ｆ部、１４…記憶部、１４Ａ…プログラム、１５…制御部、１５Ａ…受付制御手段、１５Ｂ…表示制御手段、１Ａ…無線基地局、１Ｂ…現場端末、６１…画面表示部、６２…操作入力部、６３…通信Ｉ／Ｆ部、６４…記憶部、６４Ａ…用語リスト情報、６４Ｂ…プログラム、６５…制御部、６５Ａ…用語リスト取得手段、６５Ｂ…表示制御手段、６５Ｃ…受付制御手段、２…業務データサーバ、２１…画面表示部、２２…操作入力部、２３…通信Ｉ／Ｆ部、２４…記憶部、２４Ａ…製造ノート情報、２４Ｂ…用語リスト情報、２４Ｃ…プログラム、２５…制御部、２５Ａ…管理制御手段、２５Ｂ…用語リスト管理手段、２０…ネットワーク、３０…プロセス監視システム、３…プロセス監視装置、４…プロセスデータサーバ、４０…ネットワーク、５０…プロセス制御システム、５１…コントローラ、５２…フィールド機器、５３…ネットワーク、８１…キー情報、８２…リストボックス、８３…選択候補リスト欄。
【図１】
2005275513.tif 000003
【図２】
2005275513.tif 000004
【図３】
2005275513.tif 000005
【図４】
2005275513.tif 000006
【図５】
2005275513.tif 000007
【図６】
2005275513.tif 000008
【図７】
2005275513.tif 000009
【図８】
2005275513.tif 000010